(57)【特許請求の範囲】
【請求項１】
壁と床からなる建物ユニットを建築現場で複数接合させて構成したユニット建物において、
側面に壁のない領域が設けられている建物ユニットを２つ以上有し、それらの建物ユニットが、壁のない領域が突き合わせられて隣接配置され、前記建築現場に輸送される前に一体に形成される壁パネルであって、２つの建物ユニットに跨がる間仕切りを形成すると共に開口部を有する面形状の壁パネルが、前記建物ユニット間の継ぎ目の位置に該開口部が位置するように立設され、該壁パネルの開口部の両側が耐力壁として使用されることを特徴とするユニット建物。
【請求項２】
壁と床からなる建物ユニットを建築現場で複数接合させて構成したユニット建物において、
側面に壁のない領域が設けられている建物ユニットを４つ以上有し、それらの建物ユニットの長辺同士及び短辺同士が、壁のない領域が突き合わせられて２段２列に隣接配置され、前記建築現場に輸送される前に一体に形成される壁パネルであって、それらの建物ユニットの上記長辺又は短辺上に２つの建物ユニットの２つの長辺又は２つの短辺に跨がる間仕切りを形成すると共に開口部を有する面形状の壁パネルが、前記建物ユニット間の継ぎ目の位置に該開口部が位置するように立設され、該壁パネルの開口部の両側が耐力壁として使用されることを特徴とするユニット建物。
【発明の詳細な説明】
【０００１】
【発明の属する技術分野】
本発明は、ユニット建物に関する。
【０００２】
【従来の技術】
工場で量産した複数の箱形建物ユニットを建築現場で接合させてユニット建物を構築する手法は、現場での施工工数を少なくすることができるので、施工期間の短縮を図る上で非常に有利である。
【０００３】
【発明が解決しようとする課題】
しかしながら、箱形の建物ユニットのみで壁が構成されているユニット建物では、建物ユニットの継ぎ目に外壁或いは間仕切り壁の継ぎ目が形成されてしまうので、建物ユニットを跨ぐ位置に開口を設けることができず、開口位置の自由度が低いという問題があった。
例えば、図３に示すように、従来のユニット建物Ｕｃは、間仕切り壁１４を有する２の建物ユニット（居室ユニット）１Ｃ，１Ｃによって構成され、不図示の上階部分の建物ユニット及び屋根ユニットによって構成されている。
そのため、開口部１５は間仕切り壁１４の何れか或いは両方に設けられ、建物ユニット１Ｃ，１Ｃの継ぎ目には設けることはできない。
【０００４】
また、建物ユニット１Ｃは工場から現地へ輸送する必要上、建物ユニットの短辺側寸法は２，５００ｍｍ未満に制約されており、間仕切り壁１４の長さは一般に２，２７５ｍｍ以下であるので、開口部の巾としては１，８００ｍｍ以下に制限される。そして、耐力壁は高さの１／３以上の巾を有しなければならない。壁の高さは居室高さより２，４００ｍｍ以上必要なので、巾は８００ｍｍ以上必要となる。即ち間仕切り壁１４を耐力壁とするには開口部を設けないようにするか、或いは開口部１５の巾が１，４７５ｍｍ以下とする必要があり大きな制約を受け、また設置場所も限定される。
【０００５】
また特開平７−１１３２６６号公報に記載されたような建物ユニットに現地で壁・床パネルを組み合わせるユニット建物においても建物ユニットと壁パネルをまたぐ位置には開口を設けることができず、同様の問題があった。
【０００６】
そこで、本発明では、上記のような問題に着目し、ユニット建物における間仕切り壁に設けられる開口位置の自由度の拡大を図ることを目的としている。
【０００７】
【課題を解決するための手段】
上記目的を達成するために、請求項１記載の発明では、壁と床からなる建物ユニットを建築現場で複数接合させて構成したユニット建物において、側面に壁のない領域が設けられている建物ユニットを２つ以上有し、それらの建物ユニットが、壁のない領域が突き合わせられて隣接配置され、前記建築現場に輸送される前に一体に形成される壁パネルであって、２つの建物ユニットに跨がる間仕切りを形成すると共に開口部を有する面形状の壁パネルが、前記建物ユニット間の継ぎ目の位置に該開口部が位置するように立設され、該壁パネルの開口部の両側が耐力壁として使用されることを特徴とする。
【０００８】
請求項２記載の発明では、壁と床からなる建物ユニットを建築現場で複数接合させて構成したユニット建物において、側面に壁のない領域が設けられている建物ユニットを４つ以上有し、それらの建物ユニットの長辺同士及び短辺同士が、壁のない領域が突き合わせられて２段２列に隣接配置され、前記建築現場に輸送される前に一体に形成される壁パネルであって、それらの建物ユニットの上記長辺又は短辺上に２つの建物ユニットの２つの長辺又は２つの短辺に跨がる間仕切りを形成すると共に開口部を有する面形状の壁パネルが、前記建物ユニット間の継ぎ目の位置に該開口部が位置するように立設され、該壁パネルの開口部の両側が耐力壁として使用されることを特徴とする。
【０００９】
【作用】
請求項１記載の発明では、側面に壁のない領域が設けられている建物ユニットを２つ以上有し、それらの建物ユニットが、壁のない領域が突き合わせられて隣接配置され、建物ユニットの壁のない領域に跨がる間仕切りを形成し、開口部を有する面形状の壁パネルでユニット建物の間仕切り壁の一部を構成しているので、建物ユニットの継ぎ目の位置に間仕切り壁の継ぎ目が形成されないようにすることができ、建物ユニットの継ぎ目に開口部を設けることができるようになる。又、間仕切り壁が一体のパネルであるので耐力上も有利であり、耐力壁として使用できる。更に、間仕切り壁全体の内装仕上げを工場で行うことができ、現地作業工数の削減ができる。
【００１０】
請求項２記載の発明では、側面に壁のない領域が設けられている建物ユニットを４つ以上有し、それらの建物ユニットの長辺同士及び短辺同士が、壁のない領域が突き合わせられて２段２列に隣接配置され、それらの建物ユニットの上記長辺又は短辺上に２つの建物ユニットの２つの長辺又は２つの短辺に跨がる間仕切りを形成し、開口部を有する面形状の壁パネルでユニット建物の壁の一部を構成しているので、建物ユニットの継ぎ目の位置に間仕切り壁の継ぎ目が形成されないようにすることができ、建物ユニットの継ぎ目に開口部を設けることができるようになる。しかも、本発明では、請求項１記載の発明に比べて、間仕切り壁により仕切られた空間がより大きな空間が得られる。また間仕切り壁に設ける開口部位置の自由度も拡がる。
【００１１】
【発明の実施の形態】
図１は本実施の形態１のユニット建物に用いた建物ユニットと間仕切り壁パネルを示す斜視図、図２は本実施の形態２のユニット建物に用いた建物ユニットと間仕切り壁パネルを示す斜視図である。
【００１２】
本実施の形態１のユニット建物Ｕａは、図１に示すように、２つの建物ユニット（居室ユニット）１Ａ，１Ａと１枚の間仕切り壁パネル２Ａによって構成され、不図示の上階部分の建物ユニット及び屋根ユニットによって構成されている。
【００１３】
前記建物ユニット１Ａ，１Ａは、図１に示すように、平面形状が長方形の床パネル１１によって床が構成され、その床パネル１１の一方の長辺側縁部に沿って立設された桁壁パネル１２と、その壁パネル１２と連続して両方の短辺側に立設された妻壁パネル１３，１３によって平面視コ字に壁が構成されており、全体として箱形状に形成されている。
【００１４】
間仕切り壁パネル２Ａは、建物ユニット１Ａ，１Ａの短辺側に跨がって立設され、短辺側の巾は２，２７５ｍｍであるのでその２倍の長さ（４，５５０ｍｍ）を有することになり、例えば開口部２１の巾が１，８００ｍｍ〜２，７００ｍｍであっても、両側の壁巾としては各々１，３７５ｍｍ〜９２５ｍｍ確保でき耐力壁として必要な８００ｍｍ以上であるので耐力壁として使用することができる。
【００１５】
次に、ユニット建物Ｕａの施行方法について説明する。建物ユニット１Ａ，１Ａは、工場内で箱形状に組み立てられた後に建築現場に輸送され、クレーン等で吊り上げられて建築現場の基礎（図示省略）の上に据え置きされる。この時、２つの建物ユニット１Ａ，１Ａは桁側側面の壁のない領域が相対するように基礎の上に隣接配置される。
【００１６】
前記間仕切り壁パネル２Ａは、工場でクロス、ドア枠等の内装仕上げを行い、開口部の下端にはドア枠等を固定する仮補強材２３が取り付けられる。間仕切り壁パネル２Ａは、２つの建物ユニット１Ａ，１Ａを基礎の上に設置した後、妻側に平行に２つの建物ユニット１Ａ，１Ａの間に跨がって立設され、そのほぼ中央位置に開口部２１を有している。
【００１７】
また、前記建物ユニット１Ａ，１Ａの壁の上端部と前記間仕切り壁パネル２Ａの上端部とは、図示は省略しているが、ジョイントプレートを介して釘で連結固定されている。また、図示は省略しているが、前記建物ユニット１Ａ，１Ａの壁の側部と前記間仕切り壁パネル２Ａ側部との間には、ガスケットあるいは繋ぎ面材が設けられている。
【００１８】
更に、図示は省略しているが、２階部分を構成している建物ユニットも、床パネルによって床が構成されていると共に、壁パネルによって壁が構成されており、これらによって１階の建物ユニット１Ａ，１Ａと同一平面形状の箱形状に形成されている。また、これらの２階部分を構成している建物ユニットは、１階の建物ユニット１Ａ，１Ａと同じ向き（桁側側面同士を隣接させた向き）で、１階の建物ユニット１Ａ，１Ａの上に設置されている。
【００１９】
このように、本実施の形態１のユニット建物Ｕａでは、建物ユニット１Ａ，１Ａに跨がって設けた間仕切り壁パネル２Ａでユニット建物の１階部分の間仕切り壁を構成しているので、建物ユニット１Ａ，１Ａ間の継ぎ目の位置に開口部２１を設けることができ、また、間仕切り壁２Ａは一体で形成されているので耐力上も有利であり開口部２１の両側の壁２２を耐力壁として使用できるようになる。又、開口位置の自由度を拡大することができる。
【００２０】
しかも、間仕切り壁パネル２Ａをユニット建物Ｕａの１階部分に用いているために、建築現場においても安全性の高い足場で間仕切り壁パネル２Ａの取り付け作業を行うことができ、２階部分ならびに屋根部分の施工性への悪影響もない。
【００２１】
次に、図２に基づいて、実施の形態２のユニット建物Ｕｂについて詳述する。図２は本実施の形態２のユニット建物Ｕｂに用いた建物ユニットと間仕切り壁パネルを示す斜視図である。実施の形態１と同じものは同符号を付けて説明する。
【００２２】
本実施の形態２のユニット建物Ｕｂは、１階の建物ユニット１Ｂ，１Ｂ，１Ｂ，１Ｂと４つの建物ユニットが、それぞれ短辺側及び長辺側の壁のない領域同士を相互に突き合わせて立設されている点が実施の形態１と異なる。  即ち、建物ユニット１Ｂは平面形状が長方形の床パネル１１によって床が構成され、その床パネル１１の一方の長辺側縁部に沿って立設された桁壁パネル１２と、その壁パネル１２と連続して片方の短辺側に立設された妻壁パネル１３によって平面視Ｌ字に壁が構成されており、それぞれの桁壁パネル及び妻壁パネルを四周に配設し、全体として箱形状に形成されている。
そして、建物ユニット１Ｂの短辺側同士が隣接している部分に建物ユニット１Ｂ間に跨がって間仕切り壁パネル２Ｂが立設される。
【００２３】
間仕切り壁パネル２Ｂは、建物ユニット１Ｂ，１Ｂの短辺側に跨がって立設され、実施の形態１と同様に、短辺側の巾は２，２７５ｍｍであるのでその２倍の長さ（４，５５０ｍｍ）を有することになり、例えば開口部２１の巾が１，８００ｍｍ〜２，７００ｍｍであっても、両側の壁巾としては各々１，３７５ｍｍ〜９２５ｍｍ確保でき耐力壁として必要な８００ｍｍ以上であるので、実施の形態１と同様に、耐力壁として使用することができる。
更に、実施の形態２においては４つの建物ユニット１Ｂからなる空間に、間仕切り壁パネル２Ｂを立設するので、実施の形態１より大空間が得られる。
【００２４】
次に、ユニット建物Ｕｂの施行方法について説明する。建物ユニット１Ｂ，１Ｂ，１Ｂ，１Ｂは、工場内で箱形状に組み立てられた後に建築現場に輸送され、クレーン等で吊り上げられて建築現場の基礎（図示省略）の上に据え置きされる。この時、４つの建物ユニット１Ｂ，１Ｂ，１Ｂ，１Ｂは妻側及び桁側側面の壁のない領域が相対するように基礎の上に隣接配置される。
【００２５】
前記間仕切り壁パネル２Ｂは、工場でクロス、ドア枠等の内装仕上げを行い、開口部の下端にはドア枠等を固定する仮補強材２３が取り付けられる。間仕切り壁パネル２Ｂは、４つの建物ユニット１Ｂ，１Ｂ，１Ｂ，１Ｂを基礎の上に設置した後、妻側に平行に４つの建物ユニット１Ｂ，１Ｂ，１Ｂ，１Ｂの間に跨がって立設され、そのほぼ中央位置に開口部２１を有している。
【００２６】
また、前記建物ユニット１Ｂ，１Ｂ，１Ｂ，１Ｂの壁の上端部と前記間仕切り壁パネル２Ｂの上端部とは、図示は省略しているが、ジョイントプレートを介して釘で連結固定されている。また、図示は省略しているが、前記建物ユニット１Ｂ，１Ｂ，１Ｂ，１Ｂの壁の側部と前記間仕切り壁パネル２Ｂ側部との間には、ガスケットあるいは繋ぎ面材が設けられている。
【００２７】
更に、図示は省略しているが、２階部分を構成している建物ユニットも、床パネルによって床が構成されていると共に、壁パネルによって壁が構成されており、これらによって１階の建物ユニット１Ｂ，１Ｂ，１Ｂ，１Ｂと同一平面形状の箱形状に形成されている。また、これらの２階部分を構成している建物ユニットは、１階の建物ユニット１Ｂ，１Ｂ，１Ｂ，１Ｂと同じ向き（桁側側面同士を隣接させた向き）で、１階の建物ユニット１Ｂ，１Ｂ，１Ｂ，１Ｂの上に設置されている。
【００２８】
このように、本実施の形態２のユニット建物Ｕｂでは、建物ユニット１Ｂ，１Ｂ，１Ｂ，１Ｂに跨がって設けた間仕切り壁パネル２Ｂでユニット建物の１階部分の間仕切り壁を構成しているので、建物ユニット１Ｂ，１Ｂ，１Ｂ，１Ｂ間の継ぎ目の位置に開口部２１を設けることができ、また、間仕切り壁２Ｂは一体で形成されているので耐力上も有利であり開口部２１の両側の壁２２を耐力壁として使用できるようになる。又、開口位置の自由度を拡大することができる。
【００２９】
しかも、間仕切り壁パネル２Ｂをユニット建物Ｕｂの１階部分に用いているために、建築現場においても安全性の高い足場で間仕切り壁パネル２Ｂの取り付け作業を行うことができ、２階部分ならびに屋根部分の施工性への悪影響もない。
【００３０】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、２階建てのユニット建物に適用した例を示したが、３階建て以上のユニット建物に適用してもよい。また、通常の箱形の建物ユニットを一部組み合わせて、ユニット建物を構成してもよい。
【００３１】
【発明の効果】
請求項１記載の発明では、側面に壁のない領域が設けられている建物ユニットを２つ以上有し、それらの建物ユニットが、壁のない領域が突き合わせられて隣接配置され、建物ユニットの壁のない領域に跨がる間仕切りを形成し、開口部を有する面形状の壁パネルでユニット建物の間仕切り壁の一部を構成しているので、建物ユニットの継ぎ目の位置に間仕切り壁の継ぎ目が形成されないようにすることができ、建物ユニットの継ぎ目に開口部を設けることができるようになる。又、間仕切り壁が一体のパネルであるので耐力上も有利であり、耐力壁として使用できる。更に、間仕切り壁全体の内装仕上げを工場で行うことができ、現地作業工数の削減ができる。
【００３２】
請求項２記載の発明では、側面に壁のない領域が設けられている建物ユニットを４つ以上有し、それらの建物ユニットの長辺同士及び短辺同士が、壁のない領域が突き合わせられて２段２列に隣接配置され、それらの建物ユニットの上記長辺又は短辺上に２つの建物ユニットの２つの長辺又は２つの短辺に跨がる間仕切りを形成し、開口部を有する面形状の壁パネルでユニット建物の壁の一部を構成しているので、建物ユニットの継ぎ目の位置に間仕切り壁の継ぎ目が形成されないようにすることができ、建物ユニットの継ぎ目に開口部を設けることができるようになる。しかも、本発明では、請求項１記載の発明に比べて、間仕切り壁により仕切られた空間がより大きな空間が得られる。また間仕切り壁に設ける開口部位置の自由度も拡がる。
【図面の簡単な説明】
【図１】  実施の形態１のユニット建物に用いた建物ユニットと間仕切り壁パネルを示す斜視図である。
【図２】  実施の形態２のユニット建物に用いた建物ユニットと間仕切り壁パネルを示す斜視図である。
【図３】  従来のユニット建物に用いた建物ユニットと間仕切り壁を示す斜視図である。
【符号の説明】
Ｕａ，Ｕｂ，Ｕｃ        ユニット建物
１Ａ，１Ｂ，１Ｃ        建物ユニット（居室ユニット）
１１                    床パネル（床）
１２                    桁壁パネル（壁）
１３                    妻壁パネル（壁）
２Ａ，２Ｂ              間仕切り壁パネル
２１                    開口部
２２                    耐力壁
２３                    仮補強材
【図１】
0003893000.tif 000002
【図２】
0003893000.tif 000003
【図３】
0003893000.tif 000004